【手続補正書】
【提出日】平成18年9月22日(2006.9.22)
【手続補正１】
【補正対象書類名】明細書
【補正対象項目名】特許請求の範囲
【補正方法】変更
【補正の内容】
【特許請求の範囲】
【請求項１】  表示状態が変化可能な可変表示部を含み、変動開始の条件の成立に応じて前記可変表示部に表示される識別情報の変動を開始し、識別情報の表示結果があらかじめ定められた特定表示態様となったときに遊技者にとって有利な大当り遊技状態に制御し、所定の移行条件が成立すると、大当り遊技状態が発生しやすい特別遊技状態に制御する遊技機であって、
遊技の進行を制御する遊技制御手段と、
前記可変表示部の表示制御を行う表示制御手段と、
を備え、
前記遊技制御手段は、大当りとするか否か決定する大当り決定手段と、少なくとも前記可変表示部における識別情報の変動時間を決定する変動時間決定手段と、識別情報の変動開始の条件の成立に応じて前記可変表示部の表示状態を変化させるためのコマンドを前記表示制御手段に出力するコマンド出力手段とを含み、
前記コマンド出力手段は、前記変動時間決定手段の決定にもとづいて、少なくとも識別情報の変動開始から確定までの期間の変動時間を特定可能なコマンドを、前記識別情報の変動を開始するときに出力し、前記変動時間が終了したときに識別情報の確定を示すコマンドを出力し、
前記コマンド出力手段は、前記特別遊技状態では、前記変動時間を特定可能なコマンドとして、該特別遊技状態専用のコマンドを出力可能である
ことを特徴とする遊技機。
【請求項２】  表示制御手段は、識別情報を更新しない態様で識別情報を確定時とは異なる態様で表示させることが可能である
請求項１記載の遊技機。
【請求項３】  識別情報を更新しない態様は揺れ表示であり、
表示制御手段は、確定を示すコマンドを受信したときに揺れ表示を停止させる
請求項２記載の遊技機。
【請求項４】  遊技制御手段と表示制御手段との間で遊技制御手段から表示制御手段への方向にのみデータを出力させるコマンド出力部を備えた
請求項１から請求項３のうちのいずれかに記載の遊技機。
【請求項５】  コマンド出力部は、一方向にのみ信号を出力する不可逆性出力手段である
請求項４記載の遊技機。
【請求項６】  コマンド出力部は、出力ポートと出力ドライバとで構成される
請求項５記載の遊技機。
【請求項７】  表示制御手段は、コマンド出力手段が出力したコマンドにもとづいて、識別情報の表示結果が特定表示態様となることを予告する予告演出の演出内容をあらかじめ用意されている複数種類の演出内容の中から決定する予告演出決定手段を含む
請求項１から請求項６のうちのいずれかに記載の遊技機。
【手続補正２】
【補正対象書類名】明細書
【補正対象項目名】０００９
【補正方法】変更
【補正の内容】
【０００９】
【課題を解決するための手段】
本発明による遊技機は、表示状態が変化可能な表示領域を有する可変表示部を含み、変動開始の条件の成立に応じて表示領域に表示される識別情報の変動を開始し、識別情報の表示結果があらかじめ定められた特定表示態様となったときに遊技者にとって有利な大当り遊技状態に制御し、所定の移行条件が成立すると、大当り遊技状態が発生しやすい特別遊技状態に制御する遊技機であって、遊技の進行を制御する遊技制御手段と、可変表示部の表示制御を行う表示制御手段とを備え、遊技制御手段は、大当りとするか否か決定する大当り決定手段と、少なくとも可変表示部における識別情報の変動時間を決定する変動時間決定手段と、識別情報の変動開始の条件の成立に応じて可変表示部の表示状態を変化させるためのコマンドを表示制御手段に出力するコマンド出力手段とを含み、コマンド出力手段は、変動時間決定手段の決定にもとづいて、少なくとも識別情報の変動開始から確定までの期間の変動時間を特定可能なコマンドを、識別情報の変動を開始するときに送出可能であり、変動時間が終了したときに識別情報の確定を示すコマンドを出力し、コマンド出力手段は、特別遊技状態では、変動時間を特定可能なコマンドとして、特別遊技状態専用のコマンドを出力可能であるように構成されている。
【手続補正３】
【補正対象書類名】明細書
【補正対象項目名】００１１
【補正方法】変更
【補正の内容】
【００１１】
識別情報を更新しない態様は揺れ表示であり、表示制御手段は、確定を示すコマンドの受信に関連した時期に揺れ表示を停止させるように構成されていてもよい。
【手続補正４】
【補正対象書類名】明細書
【補正対象項目名】００１２
【補正方法】変更
【補正の内容】
【００１２】
遊技制御手段と表示制御手段との間で遊技制御手段から表示制御手段への方向にのみデータを出力させるコマンド出力部を備えていることが望ましい。
【手続補正５】
【補正対象書類名】明細書
【補正対象項目名】００１３
【補正方法】変更
【補正の内容】
【００１３】
コマンド出力部は、一方向にのみ信号を出力する不可逆性出力手段であるように構成されていてもよい。
【手続補正６】
【補正対象書類名】明細書
【補正対象項目名】００１４
【補正方法】変更
【補正の内容】
【００１４】
また、コマンド出力部は、出力ポートと出力ドライバとで構成されていてもよい。
【手続補正７】
【補正対象書類名】明細書
【補正対象項目名】００１５
【補正方法】変更
【補正の内容】
【００１５】
表示制御手段は、コマンド出力手段が出力したコマンドにもとづいて、識別情報の表示結果が特定表示態様となることを予告する予告演出の演出内容をあらかじめ用意されている複数種類の演出内容の中から決定する予告演出決定手段を含むように構成されていてもよい。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】０１８１
【補正方法】変更
【補正の内容】
【０１８１】
【発明の効果】
以上のように、本発明によれば、遊技機を、遊技制御手段が、識別情報の変動開始から確定までの期間の変動時間を特定可能なコマンドを、識別情報の変動を開始するときに出力し、変動時間が終了したときに識別情報の確定を示すコマンドを出力するように構成したので、遊技制御手段の識別情報表示に関する制御の負担が軽くなり、遊技制御手段が本来の遊技制御にかけられる時間を増やすことができる効果がある。また、識別情報の確定時にその旨を示すコマンドを表示制御手段に送出することによって、規定の変動時間で確実に識別情報が確定する効果がある。さらに、遊技制御手段は全ての変動について変動開始の際と確定の際にコマンドを送出すればよく、送出されるコマンド数が大きく低減される効果がある。
【手続補正１２】
【補正対象書類名】明細書
【補正対象項目名】０１８２
【補正方法】変更
【補正の内容】
【０１８２】
識別情報を更新しない態様は揺れ表示であり、表示制御手段は、確定を示すコマンドを受信したときに揺れ表示を停止させるように構成されている場合には、識別情報が確定していないことが容易に認識される等の効果がある。
【手続補正１３】
【補正対象書類名】明細書
【補正対象項目名】０１８３
【補正方法】変更
【補正の内容】
【０１８３】
遊技制御手段と表示制御手段との間で遊技制御手段から表示制御手段への方向にのみデータを出力させるコマンド出力部を備えている場合には、遊技制御手段に不正な信号が入力される可能性を低減できる効果がある。
【手続補正１４】
【補正対象書類名】明細書
【補正対象項目名】０１８４
【補正方法】変更
【補正の内容】
【０１８４】
コマンド出力部が、一方向にのみ信号を出力する不可逆性出力手段であるように構成されている場合には、遊技制御手段に不正な信号が入力される可能性をより低減できる効果がある。
【手続補正１５】
【補正対象書類名】明細書
【補正対象項目名】０１８５
【補正方法】変更
【補正の内容】
【０１８５】
コマンド出力部が、出力ポートと出力ドライバとで構成されている場合には、出力手段が２段階構成になって、遊技制御手段に不正な信号が入力される可能性をさらに低減できる効果がある。
【手続補正１６】
【補正対象書類名】明細書
【補正対象項目名】０１８６
【補正方法】削除
【補正の内容】
【手続補正１７】
【補正対象書類名】明細書
【補正対象項目名】０１８７
【補正方法】削除
【補正の内容】
【手続補正１８】
【補正対象書類名】明細書
【補正対象項目名】０１８８
【補正方法】削除
【補正の内容】